(57)【要約】【課題】携帯通信機器本体の電源がオフ状態で入退出管理装置を通過し、その後本体に電源が投入された場合でも、着信報知モードに自動的に設定または解除する機能を有する着信報知モード自動切替システムの提供を目的とする。【解決手段】通信路を介して、入退出管理装置２００が携帯電話機本体１１０に搭載された非接触ＩＣカード部１００に入退出の情報の通知および電力の供給を行い、供給された電力で動作する非接触ＩＣカード部１００が送受信部１０１で入退出管理装置２００より入退出情報を取得し、その情報を記憶手段１０４の不揮発メモリ１０５に格納することで、携帯電話機本体１１０に電源がオフ状態で入退出を行った場合でも、入退出の情報を確実に取得してマナーモードの設定または解除が可能となる。【選択図】図１
2006074588.tif 000002
【特許請求の範囲】
【請求項１】
携帯通信機器に入退出情報を送信する送信手段と前記携帯通信機器に電力を供給する電力供給手段とを備える入退出管理装置と、
前記入退出管理装置より電力供給を受ける電力取得手段と入退出情報を受信する受信手段と前記入退出情報を記憶する記憶手段とを備えるデータ通信手段と、前記記憶手段に記憶された前記入退出情報の取り込み手段と音声またはデータを送受信する送受信手段と呼び出しを通知する呼び出し手段と着信報知モードの切り替え手段とを備える携帯通信機器とで構成され，
前記入退出管理装置から送信された入退出情報に基づいて前記携帯通信機器が着信報知モードを切り替えることを特徴とする着信報知モード自動切替システム。
【請求項２】
前記データ通信手段を非接触ＩＣカードとし、前記携帯通信機器を携帯電話機とし、前記着信報知モードを前記呼び出し手段の使用を制限するマナーモードとし、前記記憶手段を不揮発性の記録媒体で構成した請求項１記載の着信報知モード自動切替システム。
【請求項３】
前記携帯電話機は前記非接触ＩＣカードに電力を供給する電源手段と、
前記取り込み手段で取得した前記入退出情報が進入情報であれば前記マナーモードに設定し、退出情報であれば前記マナーモードを解除するよう切り替える制御手段とを備えることを特徴とする請求項２記載の着信報知モード自動切替システム。
【請求項４】
前記携帯電話機の前記制御手段は電源起動時に前記取り込み手段で前記記憶手段の入退出情報を取り込み、進入情報であれば前記携帯電話機を前記マナーモードに設定する制御を行い、退出情報であれば前記携帯電話機の前記マナーモードを解除する制御を行うことを特徴とする請求項３記載の着信報知モード自動切替システム。
【請求項５】
前記携帯電話機は外部から入力したマナーモードの外部設定情報を読み出す外部設定検出手段を備え、前記携帯電話機の前記制御手段は、前記取り込み手段より取得した入退出情報が進入情報の場合は前記携帯電話機を前記マナーモードに設定する制御を行い、退出情報の場合は前記外部設定検出手段でマナーモードに設定する情報が検出されていれば前記携帯電話機を前記マナーモードに設定する制御を行い、前記外部設定検出手段で前記マナーモードに設定する情報が検出されていなければ前記マナーモードを解除する制御を行うことを特徴とする請求項４記載の着信報知モード自動切替システム。
【請求項６】
前記非接触ＩＣカードは受信した入退出情報が進入情報であれば、前記携帯電話機の電源がオフ状態のとき、電源を起動して前記制御手段に進入情報を通知し、電源がオン状態のとき前記制御手段に進入情報を通知し、退出情報であれば、電源がオフ状態のとき、電源を起動して前記制御手段に退出情報を通知し、電源がオン状態のとき前記制御手段に退出情報を通知するよう構成した請求項４記載の着信報知モード自動切替システム。
【請求項７】
前記携帯電話機の前記制御手段は前記非接触ＩＣカードが前記携帯電話機の電源を起動した場合、通知された入退出情報に基づいて前記マナーモードに設定または解除した後に再び前記携帯電話機の電源をオフすることを特徴とする請求項６記載の着信報知モード自動切替システム。
【請求項８】
前記携帯電話機は外部からのマナーモードの外部設定情報を読み出す外部設定検出手段を備え、前記携帯電話機の前記制御手段は前記データ通信手段より進入情報を通知されると前記携帯電話機を前記マナーモードに設定する制御を行い、退出情報を通知されると前記外部設定検出手段で前記マナーモードに設定する情報が検出されていれば前記携帯電話機を前記マナーモードに設定する制御を行い、前記外部設定検出手段で前記マナーモードに
設定する情報が検出されていなければ前記マナーモードを解除する制御を行うことを特徴とする請求項６記載の着信報知モード自動切替システム。
【請求項９】
前記携帯電話機の制御手段は前記非接触ＩＣカードが前記携帯電話機の電源を起動した場合は、通知された情報に基づいて前記マナーモードに設定または解除した後に再び前記携帯電話機の電源をオフすることを特徴とする請求項８記載の着信報知モード自動切替システム。
【発明の詳細な説明】
【技術分野】
【０００１】
本発明は携帯電話機などの携帯通信機器の着信通知の制御方法に係り、更に詳しくは、当該携帯通信機器が複数の着信報知モードを有し、所定状況に応じて自動的に着信報知モードを切り替える着信報知モード自動切替システムに関する。
【背景技術】
【０００２】
従来の着信報知モード自動切替システムは、着信報知モードとしていわゆるマナーモードへの設定が必要な駅や劇場などで採用されており、携帯電話機等の携帯通信機器がその出入り口近傍に設置された入退出管理装置からの着信報知モード切替え要求信号を受け、着信報知モードを切り替えるシステムである。しかしながら、携帯通信機器が電源遮断状態や圏外状態等で着信報知モード切替え要求信号を受け損なった場合、着信報知モードの自動切替えが行われない。そこで、携帯通信機器にブルートゥース（登録商標）などの無線通信技術を用いた近距離通信部を設け、駅の自動改札機等に設置された入退出管理装置に設けた近距離通信部から着信報知モード切替え要求信号を送信するシステムが提案されている（例えば、特許文献１参照）。この構成により、入退出管理装置が強制的に携帯電話機等を特定の着信報知モードに切り替えることが行われる。
【特許文献１】特開２００２−１６５２６５号公報（１０ページ、図６）
【発明の開示】
【発明が解決しようとする課題】
【０００３】
しかしながら、従来の着信報知モード自動切替システムにおいては、入退出管理装置側に着信報知モード切り替え制御手段を備える必要があるため、システムの構成が複雑となりコストが増大するという課題が存在した。
【０００４】
本発明は、従来の課題を解決するもので、携帯通信機器に非接触ＩＣカードを装着し、入退出管理装置とのデータ通信時に携帯通信機器の電源がオフの場合でも、非接触ＩＣカードに記憶された入退出情報により、電源投入時に携帯通信機器単独で報知モードの自動切替え設定が可能な着信報知モード自動切替システムを提供することを第一の目的とする。
【０００５】
また本発明は、携帯通信機器の電源がオフの場合でも、入退出管理装置から入退出情報を受け取ると直ぐに携帯通信機器の電源を立ち上げて、入退出管理装置が設置されている出入り口近傍で携帯通信機器の着信報知モードを確実に切り替えてしまうという着信報知モード自動切替システムを提供することを第二の目的とする。
【課題を解決するための手段】
【０００６】
本発明は、携帯通信機器に対して入退出情報を送信する送信手段と電力を供給する電力供給手段とを備える入退出管理装置と、入退出管理装置より電力供給を受ける電力取得手段と入退出情報を受信する受信手段と入退出情報を記憶する記憶手段とを備えるデータ通信手段とを有し、記憶手段に記憶された入退出情報の取り込み手段と音声またはデータを送受信する送受信手段と呼び出しを通知する呼び出し手段と着信報知モードの切り替え手段とを備える携帯通信機器とで着信報知モード自動切替システムを構成し、入退出情報に基づいて携帯通信機器の着信報知モードを切り替えている。
【０００７】
この構成により、携帯通信機器本体の電源がオフ状態で入退出を行った場合でも、データ通信手段が入退出管理装置より電力供給を受けることでデータの通信が可能となるため、記憶手段に入退出情報を格納することができる。
【０００８】
また本発明は、データ通信手段を非接触ＩＣカードとし、携帯通信機器を携帯電話機とし、特定の着信報知モードを呼び出し手段の使用を制限するマナーモードとし、記憶手段を不揮発性の記録媒体で構成する。この構成により、本発明を携帯電話機と非接触ＩＣカードで実現できる。
【０００９】
また本発明は、携帯電話機は非接触ＩＣカードに電力を供給する電源手段と、取り込み手段で取得した入退出情報が進入情報であればマナーモードに設定し、退出情報であればマナーモードを解除するよう切り替える制御手段とを備える構成を採る。
【００１０】
この構成により、本発明の携帯電話機本体に電源がオフ状態で入退出を行った場合でも、本発明の携帯電話機は電源立ち上がり時、入退出情報を非接触ＩＣカードより取得してマナーモードの設定または解除を行うことができる。
【００１１】
また本発明は、携帯電話機は外部から入力したマナーモードの外部設定情報を読み出す外部設定検出手段を備え、携帯電話機の制御手段は、取り込み手段より取得した入退出情報が進入情報の場合は携帯電話機をマナーモードに設定する制御を行い、退出情報の場合は外部設定検出手段でマナーモードに設定する情報が検出されていれば携帯電話機をマナーモードに設定する制御を行い、外部設定検出手段でマナーモードに設定する情報が検出されていなければマナーモードを解除する制御を行う構成を採る。
【００１２】
この構成により、本発明の携帯電話機の利用者が予め外部からマナーモードを設定している場合、非接触ＩＣカードより退出情報を取得してもマナーモードを解除せずに利用者の設定通りにマナーモードを保持することができる。
【００１３】
また本発明は、非接触ＩＣカードが受信した入退出情報が進入情報であれば、前記携帯電話機の電源がオフ状態のとき電源を起動して前記制御手段に進入情報を通知し、電源がオン状態のとき前記制御手段に進入情報を通知する。受信した入退出情報が退出情報であれば、電源がオフ状態のとき電源を起動して前記制御手段に退出情報を通知し、電源がオン状態のとき前記制御手段に退出情報を通知する構成を採る。
【００１４】
この構成により、携帯電話機本体の電源がオフ状態であったとしても、入退出管理装置から入退出情報を受け取ると直ぐに、自動的に携帯電話機本体の電源を起動し、非接触ＩＣカードより進入情報または退出情報を取得して着信報知モードが確実に切り替わる。また、携帯電話機の電源がオン状態のときは、入退出管理装置を通過する時は進入情報または退出情報の通知を行うことが可能となるため、携帯電話機本体は入退出管理装置の通過時にマナーモード等の着信報知モードの設定情報を確実に取得できる。
【００１５】
また本発明は、非接触ＩＣカードが携帯電話機の電源を起動した場合、携帯電話機の制御手段は通知された情報に基づいてマナーモードに設定または解除した後に再び携帯電話機の電源をオフする構成を採る。この構成により、本発明の携帯電話機の利用者が予め電源をオフしていた場合，その状態を保持することができる。
【００１６】
また本発明は、携帯電話機は外部から入力したマナーモードの外部設定情報を読み出す外部設定検出手段を備え、携帯電話機の制御手段はデータ通信手段より進入情報を通知されると携帯電話機をマナーモードに設定する制御を行い、退出情報を通知されると外部設定検出手段でマナーモードに設定する情報が検出されていれば携帯電話機をマナーモードに設定する制御を行い、外部設定検出手段でマナーモードに設定する情報が検出されていなければマナーモードを解除する制御を行う構成を採る。
【００１７】
この構成により、本発明の携帯電話機の利用者が予め外部よりマナーモードを設定している場合、非接触ＩＣカードより退出情報を取得してもマナーモードを解除せずに利用者の設定通りにマナーモードを保持することができる。
【００１８】
また本発明は、非接触ＩＣカードが前記携帯電話機の電源を起動した場合、前記携帯電話機の制御手段は通知された情報に基づいて前記マナーモードに設定または解除した後に再び前記携帯電話機の電源をオフする構成を採る。
【００１９】
この構成により、本発明の携帯電話機の利用者が予め電源をオフしていた場合，その状態を保持することができる。
【発明の効果】
【００２０】
本発明の着信報知モード自動切替システムによれば、駅の改札口などに設置された入退出管理装置とデータ通信を行う時、入退出管理装置が携帯電話機に搭載した非接触ＩＣカードに電力の供給および入退出情報の通知を行う。非接触ＩＣカードは、供給された電力で動作し、入退出管理装置より進入情報または退出情報を受信して記憶手段で記憶する。そのため携帯電話機本体の電源がオフ状態で入退出を行った場合でも、入退出情報を確実に取得することが出来る。そして、入退出管理装置の着信報知モード制御手段が不要となる。
【００２１】
また、本発明の着信報知モード自動切替システムによれば、携帯電話機本体の電源起動時または非接触ＩＣカードのデータアクセス時に、入退出情報を取り込んで携帯電話機本体の報知モードの設定または解除を行うことが可能であるため、入退出管理装置の着信報知モード制御手段が不要となる。
【００２２】
また、本発明の着信報知モード自動切替システムによれば、携帯電話機は外部から入力したマナーモードの外部設定情報を検出する外部設定検出手段を備えており、入退出情報の取り込み時に利用者が予め入力した外部設定情報を優先して着信報知モードの設定または解除を行うため、利用者の設定通りに着信報知モードを保持することが可能である。
【００２３】
また、本発明の着信報知モード自動切替システムによれば、携帯電話機の電源がオンまたはオフいずれの状態でも、非接触ＩＣカードが入退出管理装置より進入情報または退出情報を取得したときに直ぐに携帯通信機器の着信報知モードを切り替えてしまうので、入退出管理装置の置いてある出入り口近くで携帯通信機器の着信報知モードが切り替わるという効果がある。すなわち、非接触ＩＣカードが入退出管理装置より進入または退出の入退出情報を取得したときに、携帯電話機本体の電源がオフの場合は電源を立ち上げて通知し、電源がオンの場合はそのまま通知する。携帯通信機器の利用者が予め電源をオフしていた場合には、入退出管理装置の置いてある出入り口近くで携帯通信機器の電源を起動して着信報知モードを切り替える。そして再び電源をオフにする構成をとっている。このことは、仮に駅の構内や電車内、あるいは劇場内に入ってから携帯通信機器の電源を入れたとしても、既に出入り口近くで着信報知モードを切り替えているので、従来のように電源を入れてマナーモードに切り替えている瞬間にたまたま着信があって着信報知音が鳴ってしまうというアクシデントを防止する効果がある。
【発明を実施するための最良の形態】
【００２４】
以下、本発明を実施するための最良の形態について、図面を用いて説明する。
【００２５】
（実施の形態１）
本発明の第一の実施の形態にかかる着信報知モード自動切替システムについて図１から図３を参照して説明する。本実施の形態は、非接触ＩＣカードシステムに対応した入退出
管理装置と、非接触ＩＣカードを搭載し非接触ＩＣカードシステムに対応した携帯電話機とで構成される。
【００２６】
図１に、本発明の第一の実施の形態における着信報知モード自動切替システムの全体構成を示す。図１に示すように着信報知モード自動切替システムは、データ通信手段である非接触ＩＣカード部と通信を行い利用者の入退出情報や課金情報等を管理する入退出管理装置２００と、非接触ＩＣカード部１００を搭載している携帯通信機器である携帯電話機本体１１０とで構成される。
【００２７】
図１の非接触ＩＣカード部１００は、入退出管理装置２００とデータ通信を行う送受信部１０１と、給電手段１０２と、非接触ＩＣカード部１００に電力を供給する電源部１０８と、プログラムやデータを格納する記憶手段１０４と、記憶手段１０４に内蔵された不揮発性メモリ１０５と、不揮発性メモリ１０５の一部に格納された入退出情報１０６と、携帯電話機本体１１０とのデータの入出力インターフェイス（Ｉ／Ｆ）部であるカード−本体通信Ｉ／Ｆ部１０９と、ＣＰＵ１０３で構成される。
【００２８】
非接触ＩＣカード１００は携帯電話機本体１１０の電源がオフ状態でも自動改札機通過時に入退出管理装置２００より電源の供給を受けるため、入退出管理装置２００とデータの送受信を行うことが可能である。すなわち、自動改札機通過時に入退出管理装置２００の発する電波を給電手段１０２が取り込んで誘導起電力を発生させる。その電力を電源部１０８が非接触ＩＣカード部１００に供給する。この電力供給により非接触ＩＣカード部１００の電源が立ち上がり、ＣＰＵ１０３は入退出管理装置２００とのデータ通信を制御し、入退出情報と共に課金情報など改札処理に必要な情報を取り込んで記憶手段１０４の不揮発性メモリ１０５に書き込む。不揮発性メモリ１０５に格納された入退出情報は、電源部１０８が携帯電話機本体１１０よりカード−本体通信Ｉ／Ｆ部１０９を介して電力の供給を受けたときに、カード−本体通信Ｉ／Ｆ部１０９を介して携帯電話機本体１１０より読み出される。
【００２９】
次に、携帯電話機本体１１０を説明する。携帯電話機本体１１０は、図示しない携帯電話基地局と音声またはデータ通信を行う送受信部１１１と、非接触ＩＣカード部１００とのデータの入出力インターフェイス（Ｉ／Ｆ）部であるカード−本体通信Ｉ／Ｆ部１１２と、携帯電話機本体１１０へ電力を供給し更に非接触ＩＣカード１００とのデータ通信時に非接触ＩＣカード１００に電力を供給する電源部１１３と、プログラムやデータを格納する記憶手段１１５と、鳴動または発光または振動して利用者に着信を通知する呼び出し手段１１７と、電源部１１３を制御する電源制御手段１１９と、電池１１８と、利用者からの音声またはデータの取り込みと利用者への音声またはデータの出力を行う入出力手段１１６と、ＣＰＵ１１４で構成される。
【００３０】
携帯電話機本体１１０は、入出力手段１１６より取り込んだ利用者からの音声またはデータを送受信部１１１から送信する。また送受信部１１１から受信した音声またはデータを入出力手段１１６より出力することで通話またはデータ通信処理を行う。また、カード−本体通信Ｉ／Ｆ部１１２と非接触ＩＣカード部１００のカード−本体通信Ｉ／Ｆ部１０９を介して非接触ＩＣカード部１００への電力の供給とデータ通信処理を行う。ＣＰＵ１１４はデータ通信および音声通信の制御を行う。また非接触ＩＣカード部１００より取り込んだ入退出情報に従って電源制御手段１１９と呼び出し手段１１７を制御し、携帯電話機本体１１０の呼び出し手段の動作を制限するマナーモードまたは電源をオフに設定する。
【００３１】
次に、入退出管理装置２００を説明する。入退出管理装置２００は、非接触ＩＣカード部１００とデータ通信を行う送受信部２０１と、非接触ＩＣカード部１００の給電手段１
０２に電力を供給する電力供給手段２０３と、入退出管理装置２００に電力を供給する電源部２０４と、プログラムやデータを格納する記憶手段２０５と、ＣＰＵ２０２で構成される。
【００３２】
入退出管理装置２００は電力供給手段２０３から電波を放出して非接触ＩＣカード部１００に電力を供給する。送受信部２０１は起動した非接触ＩＣカード部１００の送信信号を受信して検知し、入退出情報や課金情報などを送信する。ＣＰＵ２０２はデータ通信の制御を行い、また、入退出情報や課金情報などの改札情報を記憶手段２０５に格納して管理する。
【００３３】
次に、図２と図３を用いて本実施の形態における着信報知モード自動切替システムのマナーモードの設定と解除の動作を説明する。図２は自動改札機通過時に自動的にマナーモードを設定するときのフローチャートである。非接触ＩＣカード部１００を搭載した携帯電話機本体１１０を携帯している利用者が自動改札機を通過して進入するとき、非接触ＩＣカード部１００は入退出管理装置２００より電力を供給されて起動する。そして入退出管理装置２００とデータ通信を行い進入情報と共に課金情報などの改札情報を受信し（Ｓ２０１）、不揮発性メモリ１０５に書き込む（Ｓ２０２）。次に携帯電話機本体１１０の電源の状態が判断され（Ｓ２０３）、電源がオン状態であれば携帯電話機本体１１０が非接触ＩＣカード部１００に電力を供給してデータのアクセスを行うときに、ＣＰＵ１１４が入退出情報１０６を読み出す。電源がオフ状態であれば、電源がオンになるまで待ち、その後、電源がオンになったときに非接触ＩＣカード部１００に電力を供給してＣＰＵ１１４が入退出情報１０６を読み出す（Ｓ２０４）。進入情報または退出情報のいずれであるかを判断する（Ｓ２０５）。進入情報であればマナーモードに設定して（Ｓ２０６）、処理を終了し、退出情報であれば処理を終了する。
【００３４】
図３は自動改札機通過時に自動的にマナーモードを解除するときのフローチャートである。既に説明した図２のフローチャートの処理ステップと同一記号の処理ステップは同一の処理であることを示している。非接触ＩＣカード部１００を搭載した携帯電話機本体１１０を携帯している利用者が改札を通過して退出するとき、非接触ＩＣカード部１００は入退出管理装置２００より電力を供給されて起動する。そして入退出管理装置２００とデータ通信を行い退出情報と共に課金情報などの改札情報を受信する（Ｓ３０１）。そして、退出情報を不揮発性メモリ１０５に書き込む（Ｓ３０２）。次に携帯電話機本体１１０の電源の状態が判断され（Ｓ２０３）、電源がオン状態であれば携帯電話機本体１１０が非接触ＩＣカード部１００に電力を供給してデータのアクセスを行い、入退出情報１０６を読み出す。電源がオフ状態であれば、電源がオンになるまで待ち、その後、電源がオンになったときに非接触ＩＣカード部１００に電力を供給してＣＰＵ１１４が入退出情報１０６を読み出して（Ｓ２０４）、進入情報または退出情報のいずれであるか判断する（Ｓ２０５）。進入情報であれば処理を終了し、退出情報であればマナーモードを解除して処理を終了する（Ｓ３０６）。
【００３５】
この様に第一の実施の形態では、携帯電話機本体の電源がオフ状態でマナーモードへの設定が必要な場所に入退出を行った場合でも、携帯電話機本体の電源立ち上がり時に非接触ＩＣカードより入退出情報を取得し、マナーモードの設定または解除を行うことが可能である。
【００３６】
（実施の形態２）
次に本発明の第二の実施の形態にかかる着信報知モード自動切替システムについて図４、図５を参照して説明する。図１から図３と同一の番号を付したものは同じ構成であるため、その詳細な説明を省略し、異なる点のみを説明する。
【００３７】
図４に、本発明の第二の実施の形態における着信報知モード自動切替システムの全体構成を示す。図４において、図１で示した第一の実施の形態との相違は携帯電話機本体４１０のＣＰＵ４１４にマナーモードの外部設定検出部４２０を追加した点である。利用者がマナーモードの設定または解除の要求を入力した場合、入出力手段１１６より外部設定検出部４２０に通知される。ＣＰＵ４１４は外部設定検出部４２０より取得した利用者からの外部設定情報と非接触ＩＣカード部より取り込んだ入退出情報に基づいて携帯電話機本体４１０のマナーモードの設定または解除を行う。
【００３８】
図５は第二の実施の形態におけるマナーモードの設定と解除のフローチャートである。既に説明した図２と図３のフローチャートの処理ステップと同一記号の処理ステップは同一処理であることを示している。携帯電話機本体４１０を携帯している利用者が改札を通過するとき、非接触ＩＣカード部１００は入退出管理装置２００より電力を供給されて起動する。そして入退出管理装置２００とデータ通信を行い入退出情報と共に課金情報などの改札情報を受信する（Ｓ５０１）。受信した入退出情報により（Ｓ５０２）、不揮発性メモリ１０５の入退出情報１０６に進入情報を書き込む（Ｓ２０２）、または退出情報を書き込む（Ｓ３０２）。携帯電話機本体４１０の電源の立ち上がり時または非接触ＩＣカード１００にアクセスする時（Ｓ２０３）にＣＰＵ４１４は、外部より入力された外部設定情報を読み出す（Ｓ５０３）。マナーモードに設定する情報であるか否かを判断する（Ｓ５０４）。外部情報がマナーモードに設定する情報であれば携帯電話機本体６１０をマナーモードに設定する（Ｓ２０６）。マナーモードに設定する情報でなければ、非接触ＩＣカード１００より入退出情報１０６を読み出して（Ｓ５０５）、進入情報または退出情報のいずれであるか判断する（Ｓ５０６）。進入情報であれば携帯電話機本体６１０をマナーモードに設定し（Ｓ２０６）、退出情報であれば携帯電話機本体６１０のマナーモードを解除する（Ｓ３０６）。
【００３９】
本構成により、利用者からの外部設定情報を優先してマナーモードの設定または解除を行えるため、利用者の設定通りにマナーモードの状態を保持することが可能である。
【００４０】
（実施の形態３）
次に本発明の第三の実施の形態にかかる着信報知モード自動切替システムについて図６、図７、図８を参照して説明する。既に説明した図１から図５と同一の番号を付したものは同じであるため、その詳細な説明を省略し、異なる点のみを説明する。
【００４１】
図６に、本発明の第三の実施の形態における着信報知モード自動切替システムの全体構成を示す。図６において、図１と図４で示した第一および第二の実施の形態との相違は、非接触ＩＣカード部６００のＣＰＵ６０３が入退出管理装置２００より入退出情報を取得したとき、カード−本体通信Ｉ／Ｆ部６０９とカード−本体通信Ｉ／Ｆ部６１２を介して携帯電話機本体６１０の電源を立ち上げて入退出情報１０６を携帯電話機本体６１０に通知する点である。入退出管理装置２００より進入情報または退出情報を受信するとＣＰＵ６０３は図６の破線で示す携帯電話機本体６１０の電源を立ち上げる信号をカード−本体Ｉ／Ｆ部６０９，カード−本体Ｉ／Ｆ部６１２を介して携帯電話機本体６１０の電源部６１３の電源制御手段６１９に送信する。電源制御手段６１９はこの信号を受信すると携帯電話機本体６１０の電源を立ち上げる。本体の電源がオン状態であるときは電源制御手段６１９はこの信号を無視する。携帯電話機本体６１０の電源が立ち上がってオン状態になると、ＣＰＵ６０３は取得した入退出情報１０６を、カード−本体Ｉ／Ｆ部６０９，カード−本体Ｉ／Ｆ部６１２を介して携帯電話機本体６１０のＣＰＵ６１４に通知する。ＣＰＵ６１４は取得した入退出情報１０６に基づいて携帯電話機本体６１０のマナーモードの設定または解除を行う。
【００４２】
次に、図７、図８を用いてマナーモードの設定と解除の動作を説明する。図７は第三の
実施の形態におけるマナーモードの設定のフローチャートである。既に説明した図２、図３、図５のフローチャートの処理ステップと同一記号の処理ステップは同一の処理であることを示している。図２のフローチャートで説明したのと同じＳ２０１〜Ｓ２０３の処理を行った後、すなわち、入退出管理装置２００から電力の供給と入退出情報を受信して不揮発性メモリに入退出情報を書き込んだ後、携帯電話機本体６１０の電源がオフ状態であればＣＰＵ６０３は電源立ち上げ信号を携帯電話機本体６１０の電源制御手段６１９に送信して電源を立ち上げる（Ｓ７０１）。携帯電話機本体６１０の電源がオン状態の時、ＣＰＵ６０３は入退出情報１０６を、カード−本体Ｉ／Ｆ部６０９，カード−本体Ｉ／Ｆ部６１２を介して携帯電話機本体６１０のＣＰＵ６１４に通知する（Ｓ７０２）。ＣＰＵ６１４は取得した入退出情報より進入情報または退出情報のいずれであるか判断する（Ｓ２０５）。進入情報の場合は携帯電話機本体６１０をマナーモードに設定する（Ｓ２０６）。
【００４３】
図８は第三の実施の形態におけるマナーモードの解除のフローチャートである。既に説明した図２、図３、図５、図７のフローチャートの処理ステップと同一記号の処理ステップは同一の処理であることを示している。図２、図３、図７のフローチャートで説明したのと同じＳ３０１、Ｓ３０２、Ｓ２０３、Ｓ７０１の処理を行い、携帯電話機本体６１０の電源がオン状態の時、ＣＰＵ６０３は入退出情報１０６を、カード−本体Ｉ／Ｆ部６０９，カード−本体Ｉ／Ｆ部６１２を介して携帯電話機本体６１０のＣＰＵ６１４に通知する（Ｓ８０２）。ＣＰＵ６１４は取得した入退出情報より進入情報または退出情報のいずれであるか判断する（Ｓ２０５）。退出情報の場合は携帯電話機本体６１０のマナーモードを解除する（Ｓ３０６）。本構成により、入退出管理装置の通過時に入退出情報を確実に取得できる。
【００４４】
以上説明したように、本発明の第三の実施の形態にかかる着信報知モード自動切替システムによれば、携帯電話機の電源がオンまたはオフいずれの状態でも、非接触ＩＣカードが入退出管理装置より進入情報または退出情報を取得したときに直ぐに携帯通信機器の着信報知モードを切り替えてしまうので、入退出管理装置の置いてある出入り口近くで携帯通信機器の着信報知モードが切り替わるという効果がある。
【００４５】
出入り口近くで自動的に着信報知モードをマナーモードに切り替えてしまえば、駅の構内や電車内、あるいは劇場内に入ってから携帯通信機器の電源を入れたとしても、従来のように電源を入れた瞬間にたまたま着信があって着信報知音が鳴ってしまうアクシデントは起きない。そのため、第三の実施の形態の着信報知モード切替システムによれば、携帯通信機器を利用する使用者や駅や劇場などの関係者にとっても、より信頼性の高い着信報知モード切替システムが得られるという効果がある。
【００４６】
なお、携帯通信機器の利用者が予め電源をオフにしていた場合のために、入退出管理装置の置いてある出入り口近くで携帯通信機器の電源を起動して着信報知モードを切り替えてから再び電源をオフにする構成をとることもできる。すなわち、非接触ＩＣカード部６００から送られてきた電源立ち上げ信号により電源を立ち上げて着信報知モードを切り替えたときには、携帯電話機本体６１０のＣＰＵ６１４が電源制御手段６１９を用いて、着信報知モードを切り替えた後に電源をオフにする。このように、電源がオフになっていた携帯通信機器の電源を一時的に起動し、着信報知モードを切り替え、再び電源を元通りにオフにするため、使用者の設定した元々の電源オフの状態を保つことができる。
【００４７】
（実施の形態４）
次に本発明の第四の実施の形態にかかる着信報知モード自動切替システムについて図９、図１０を参照して説明する。図１〜図８と同一の番号を付したものは同じ構成であるため、その詳細な説明を省略し、異なる点のみを説明する。
【００４８】
図９に、本発明の第四の実施の形態における着信報知モード自動切替システムの全体構成を示す。図９において、図１、図４、図６で示した第一、第二、第三の実施の形態との相違は、携帯電話機本体９１０のＣＰＵ９１４にマナーモードの外部設定検出部４２０を追加した点である。第三の実施の形態で説明した非接触ＩＣカード部６００のＣＰＵ６０３が入退出管理装置２００より入退出情報を取得したとき、カード−本体通信Ｉ／Ｆ部６０９とカード−本体通信Ｉ／Ｆ部６１２を介して携帯電話機本体９１０の電源を立ち上げて入退出情報１０６を携帯電話機本体９１０に通知する処理に加え、第二の実施の形態で説明したＣＰＵ９１４が利用者からの外部設定情報と非接触ＩＣカード部より通知された入退出情報に基づいて、携帯電話機本体９１０のマナーモードの設定または解除を行う点である。
【００４９】
次に、図１０を用いてマナーモードの設定と解除の動作を説明する。図１０は第四の実施の形態におけるマナーモードの設定と解除のフローチャートである。既に説明した図２、図３、図５，図７，図８のフローチャートの処理ステップと同一記号の処理ステップは同一の処理であることを示している。処理ステップＳ５０１〜Ｓ７０２の処理は既に第三の実施の形態の図７で説明したとおりである。ＣＰＵ９１４の外部設定検出部４２０は、処理ステップＳ５０１〜Ｓ７０２で非接触ＩＣカード部６００より入退出情報１０６を通知されると、非接触ＩＣカード部６００から通知された入退出情報と利用者からの外部設定情報に基づいて図５で説明した処理ステップＳ５０４、Ｓ５０６、Ｓ２０６，Ｓ３０６の処理を行い、携帯電話機本体９１０のマナーモードの設定または解除を行う。
【００５０】
本構成により、利用者からの外部設定情報を優先してマナーモードの設定または解除を行えるため、利用者の設定通りにマナーモードを保持することが可能である。
【００５１】
なお、図１０のフローチャートでは説明していないが、携帯通信機器の利用者が予め電源をオフにしていた場合のために、入退出管理装置の置いてある出入り口近くで携帯通信機器の電源を起動して着信報知モードを切り替えてから再び電源をオフにする構成をとることもできる。そして、本発明にかかる実施の形態では、非接触ＩＣカードは携帯電話機本体に搭載される形態としたが、非接触ＩＣカードと携帯電話機本体がお互いのデータの入出力を可能とするカード−本体通信Ｉ／Ｆ部をそれぞれ搭載していれば、非接触ＩＣカードを外付けで接続する構成も可能である。また、本形態では携帯通信機器を携帯電話機による構成として説明したが、ＰＤＡ等の携帯型の情報通信機器での構成も可能である。また入退出管理装置は自動改札機による構成としたが、非接触ＩＣカードシステムに対応し、マナーモードへの設定が必要な劇場や病院などの入退出管理装置による構成も可能である。また、本発明にかかる第三および第四の実施の形態で、本体の電源立ち上がり後、ＣＰＵ６１４またはＣＰＵ９１４は非接触ＩＣカードのＣＰＵ６０３より入退出情報１０６を通知される構成としたが、ＣＰＵ６１４またはＣＰＵ９１４が非接触ＩＣカードの不揮発性メモリ１０５よりマナーモード設定情報１０６を読み出すこともできる。また、本発明では携帯電話機本体のＣＰＵで入退出情報に基づいてマナーモードの設定、解除の判断処理を行う構成としたが、非接触ＩＣカード側のＣＰＵが受信した入退出情報に基づいてマナーモードの設定、解除の判断を行ってマナーモードの設定、解除情報を不揮発性メモリに格納する構成も可能である。
【産業上の利用可能性】
【００５２】
本発明にかかる着信報知モード自動切替システムは、通信路を介して入退出管理装置が携帯通信機器のデータ通信手段に入退出の情報の通知および電力の供給を行い、供給された電力で動作するデータ通信手段が取得した入退出情報を記憶手段の不揮発性の記録媒体に格納することで、携帯通信機器本体に電源がオフ状態で入退出を行った場合でも入退出の情報を確実に取得することが可能となる。
【００５３】
また、本発明の着信報知モード自動切替システムによれば、携帯通信機器本体は電源起動時またはデータ通信手段のデータのアクセス時に、データ通信手段の入退出情報を読み出し、着信報知モードの設定または解除を行うことが可能となる。
【００５４】
また、携帯通信機器は外部からの着信報知モード設定情報を読み出す外部設定検出手段を備えており、データ通信手段の入退出情報の読み出し時に利用者からの設定情報を優先して着信報知モードの設定または解除を行えるため、利用者の設定通りに着信報知モードを保持することが可能となる。
【００５５】
また、データ通信手段が入退出管理装置より入退出情報を受信したとき、携帯通信機器にその情報を通知することも可能である。
【００５６】
以上の様に、携帯電話機や携帯端末の特定の着信報知モードへの切替が必要な、電車などの公共の乗り物を利用する場合、または病院や映画館などの公共の建物への出入りする場合において、入退出管理装置側に着信報知モードの制御手段を必要とせずに自動的に着信報知モードに切り替えることが可能となる着信報知モード切替システムとして有用である。
【図面の簡単な説明】
【００５７】
【図１】本発明の第１の実施の形態における着信報知モード自動切替システムのシステム構成図
【図２】本発明の第１の実施の形態における着信報知モード自動切替システムのマナーモード設定動作のフローチャート
【図３】本発明の第２の実施の形態における着信報知モード自動切替システムのマナーモード解除動作のフローチャート
【図４】本発明の第２の実施の形態における着信報知モード自動切替システムのシステム構成図
【図５】本発明の第２の実施の形態における着信報知モード自動切替システムの動作のフローチャート
【図６】本発明の第３の実施の形態における着信報知モード自動切替システムのシステム構成図
【図７】本発明の第３の実施の形態における着信報知モード自動切替システムのマナーモード設定動作のフローチャート
【図８】本発明の第３の実施の形態における着信報知モード自動切替システムのマナーモード解除動作のフローチャート
【図９】本発明の第４の実施の形態における着信報知モード自動切替システムのシステム構成図
【図１０】本発明の第４の実施の形態における着信報知モード自動切替システムの動作のフローチャート
【符号の説明】
【００５８】
１００  非接触ＩＣカード部
１０１，１１１，２０１  送受信部
１０２  給電手段
１０３、１１４，２０２  ＣＰＵ
１０４，１１５、２０５  記憶手段
１０５  不揮発性メモリ
１０６  入退出情報
１０８，１１３，２０４  電源部
１０９  カード−本体通信Ｉ／Ｆ部
１１０  携帯電話機本体
１１２  カード−本体通信Ｉ／Ｆ部
１１６  入出力手段
１１７  呼び出し手段
１１８  電池
１１９  電源制御手段
２００  入出力管理装置
２０３  電力供給手段
４２０  外部設定検出部
【図１】
2006074588.tif 000003
【図２】
2006074588.tif 000004
【図３】
2006074588.tif 000005
【図４】
2006074588.tif 000006
【図５】
2006074588.tif 000007
【図６】
2006074588.tif 000008
【図７】
2006074588.tif 000009
【図８】
2006074588.tif 000010
【図９】
2006074588.tif 000011
【図１０】
2006074588.tif 000012